(57)【要約】      （修正有）【課題】ペーパーホルダーと壁面との間に介在させてペーパーの引き出し方向を使い勝手が容易な平均的な向きに設定できるペーパーホルダー取付け補助具を提供する。【解決手段】短冊状板体の基板部１ａの両端を直角に折り起した一対の直立部１ｂ、１ｃからなるコ字状の端部に半円形縁を有した壁面取付け部材１と、ペーパーホルダーの背面を取付けるためのネジ穴を有する矩形板体の一対の横辺に壁面取付け部材１の一対の直立部１ｂ、１ｃと係合する如く切り起こされた一対の円形端縁突出部を有したペーパーホルダー固定部材２と、からなる。基板部１ａに形成された複数のネジ穴１１にネジ１２を通して壁面取付け部材１を壁面に取付けるとともに、直立部１ｂ、１ｃの半円形縁の中心部に形成されたネジ穴１３とペーパーホルダー固定部材２の円形端縁突出部に有するネジ穴２１とにボルト・ナット２３、２４を通して両者を固定する。【選択図】図１
0003206221.tif 000002
【実用新案登録請求の範囲】
【請求項１】
家屋の内壁面に取付ける壁面取付け部材と、ペーパーホルダー固定部材と、前記壁面取付け部材と前記ペーパーホルダー固定部材を所定の角度で結合して固定する固定部材とで構成されたペーパーホルダー取付け補助具であって、
前記壁面取付け部材は、短冊状板体の中央領域を基板部として、該基板部の両端を直角に折り起した一対の直立部からなるコ字状で、かつ該直立部の端部に半円形縁を有し、
前記ペーパーホルダー固定部材は、ペーパーホルダーの背面を取付けるためのネジ穴を有する矩形板体の一対の横辺に、前記壁面取付け部材の一対の直立部と係合する如く切り起こされた一対の円形端縁突出部を有し、
前記基板部に形成された前記壁面取付け部材の基板部を取付けるための複数のネジ穴と、前記直立部の前記半円形縁の中心部に形成されたネジ穴と前記ペーパーホルダー固定部材の前記円形端縁突出部に有するネジ穴とに通して両者をボルト・ナットで固定したことを特徴とするペーパーホルダー取付け補助具。
【請求項２】
前記壁面取付け部材と前記ペーパーホルダー固定部材は金属板であることを特徴とする請求項１に記載のペーパーホルダー取付け補助具。
【請求項３】
前記ペーパーホルダー固定部材のネジ穴はペーパーホルダーに有する既存のネジ穴を横および縦方向での取り付け位置に裕度を許容する長孔であることを特徴とする請求項１又は２に記載のペーパーホルダー取付け補助具。
【請求項４】
前記壁面取付け部材の前記一対の直立部の一方と前記ペーパーホルダー固定部材の前記一対の円形端縁突出部の対面部分の一方に凹陥又は開口と突起との組み合わせによる相互位置係止構造を有することを特徴とする請求項１乃至３の何れかに記載のペーパーホルダー取付け補助具
【考案の詳細な説明】
【技術分野】
【０００１】
本考案は、ロール状のペーパーを保持し、必要な長さだけを引き出すためのホルダーに係り、特にトイレット等の内壁面に取り付けて使用する際のアクセス利便性を向上させたロールペーパーホルダー取付け補助具に関する。
【背景技術】
【０００２】
ロール状に捲いた長尺のペーパーはトイレットやキッチン等で広く使用されている。この種のロールペーパーは、例えばトイレットではそのペーパーホルダー（ディスペンサ）を内壁面にネジなどで取り付けて使用される。
【０００３】
現在は、洋式便器が主流であり、使用する向きが和式とは逆方向である。これに伴い、ペーパーホルダーは内壁の側面に取り付けられるのが通例である。ペーパーホルダーを便座正面の内壁に取り付ければ使い勝手がよいが、その場合には、取り付けたペーパーホルダーと便器との間に身体を楽に通せる程度のスペースを要する。普通の住居等でトイレルームにそれ余裕のあるスペースを確保することは難しいため、ペーパーホルダーは便器の着座方向（使用者の目線）と平行な側壁に取り付ける場合が多い。
【先行技術文献】
【特許文献】
【０００４】
【特許文献１】実用新案登録第３８３０５０号公報
【考案の概要】
【考案が解決しようとする課題】
【０００５】
着座方向と平行な側壁に取り付けた通常構造のペーパーホルダーからロールペーパーを引出し、所要の長さで乱れなく切り取ることは結構難しい操作である。ロールペーパーの引出し方向を使用者側に回動させることでペーパーの引出を容易にする先行技術を開示したものとして特許文献１を挙げることができる。
【０００６】
特許文献１に開示されたトイレット用ペーパーホルダーの取り付け具は、ペーパーホルダーを間欠蝶番で壁面に対して取り付け、ペーパーを使用者方向に向けるように回動させ、あるいは屈折させて、身体が不自由な方や老人・こともでもペーパーの引出と切断を容易にしている。
【０００７】
しかしながら、上記の先行技術は、使用者の好みでその向きを自由に変更できる構造であるために、不使用時の位置が不安定で、使用者によってつど調整を行う煩わしさがあり、間欠蝶番が磨耗すると位置が不安定になる可能性がある。
【０００８】
本考案の目的は、既存のペーパーホルダーをそのまま使用でき、かつペーパーホルダーと壁面との間に介在させてペーパーの引き出し方向を使い勝手が容易な平均的な向きに設定できるようにしたペーパーホルダー取付け補助具を提供することにある。
【課題を解決するための手段】
【０００９】
上記目的を達成するため、本考案は次に箇条書きする典型的な構成とした。なお、以下では、本考案の構成を明確にするため、実施例の図面に付された参照符号を併記するが、本考案は当該参照符号で規定される構成に限定されるものではない。
（１）家屋の内壁面に取付ける壁面取付け部材１と、ペーパーホルダー固定部材２と、前記壁面取付け部材１と前記ペーパーホルダー固定部材２を所定の角度で結合して固定する固定部材とで構成されたペーパーホルダー取付け補助具であって、
前記壁面取付け部材１は、短冊状板体の中央領域を基板部１aとして、該基板部１aの両端を直角に折り起した一対の直立部１ｂ、１ｃからなるコ字状で、該直立部１ｂ、１ｃの端部に半円形縁を有し、
前記ペーパーホルダー固定部材２は、ペーパーホルダーの背面を取付けるためのネジ穴２５ａ、２５ｂ、２５ｃを有する矩形板体２ａの一対の横辺に、前記壁面取付け部材１の一対の直立部１ｂ、１ｃと係合する如く切り起こされた一対の円形端縁突出部２ｂ、２ｃを有し、
前記基板部１aに形成された前記壁面取付け部材１の基板部１aを取付けるための複数のネジ穴１１と、前記直立部１ｂ、１ｃの前記半円形縁の中心部に形成されたネジ穴１３と前記ペーパーホルダー固定部材２の前記円形端縁突出部２ｂ、２ｃに有するネジ穴２１とに通して両者をボルト・ナット２３、２４で固定したことを特徴とする。
（２）前記壁面取付け部材１と前記ペーパーホルダー固定部材２は金属板であることを特徴とする。
（３）前記ペーパーホルダー固定部材２のネジ穴２５ａ、２５ｂ、２５ｃはペーパーホルダーに有する既存のネジ穴を横および縦方向での取り付け位置に裕度を許容する長孔であることを特徴とする。
（４）前記壁面取付け部材１の前記一対の直立部１ｂ、１ｃの一方と前記ペーパーホルダー固定部材２の前記一対の円形端縁突出部２ｂ、２ｃの対面部分の一方に凹陥１５又は開口１５と突起１６との組み合わせによる相互位置係止構造を有することを特徴とする。
【考案の効果】
【００１０】
既存のペーパーホルダーの向きを使用者の使い勝手のよい所定角度で設定して固定できることで、ペーパーの引き出しが容易で、切り取りも確実になる。一旦所定角度で固定した状態を保持できるため、取り出し方向をその都度意識することなく使用できる。使用部材も単純加工した板体であることから、低コストである。
【図面の簡単な説明】
【００１１】
【図１】本考案に係るロールペーパーホルダー取付け補助具の１実施例を説明する側面図である。
【図２】本考案に係るロールペーパーホルダー取付け補助具の１実施例を説明する上面図である。
【図３】本考案に係るロールペーパーホルダー取付け補助具を構成する壁面取付け部材の１実施例を説明する正面図である。
【図４】本考案に係るロールペーパーホルダー取付け補助具を構成するペーパーホルダー固定部材の１実施例を説明する正面図である。
【図５】本考案に係るロールペーパーホルダー取付け補助具の他の実施例を説明する相互位置係止構造を説明する要部上面図である。
【考案を実施するための形態】
【００１２】
以下、本考案の実施の形態について、実施例の図面を参照して詳細に説明する。
【００１３】
図１は、本考案に係るロールペーパーホルダー取付け補助具の１実施例を説明する側面図で、トイレルームの壁面３にネジ１２で固定した状態を示す。なお、ペーパーホルダーは図示していないが、図１の紙面に向かって右側からペーパーホルダー固定部材２のネジ止めされる。
【００１４】
ロールペーパーホルダー取付け補助具は壁面取付け部材１とペーパーホルダー固定部材２とで構成される。家屋の内壁面に取付ける壁面取付け部材１と、ペーパーホルダー固定部材２と、壁面取付け部材１とペーパーホルダー固定部材２を所定の角度でする結合して固定する固定部材とで構成される。
【００１５】
図２は本考案に係るロールペーパーホルダー取付け補助具の１実施例を説明する図1の矢印Ａ方向から見た上面図で、図３は本考案に係るロールペーパーホルダー取付け補助具を構成する壁面取付け部材の１実施例を説明する図1の矢印Ｂ方向から見た正面図、図４は本考案に係るロールペーパーホルダー取付け補助具を構成するペーパーホルダー固定部材の１実施例を説明する図1の矢印Ｃ方向から見た正面図である。
【００１６】
壁面取付け部材１は、短冊状板体の中央領域を基板部１aとして、該基板部１aの両端を直角に折り起した一対の直立部１ｂ、１ｃからなるコ字状で、該直立部１ｂ、１ｃの端部に半円形縁を有している。
【００１７】
ペーパーホルダー固定部材２は、ペーパーホルダーの背面を取付けるためのネジ穴２５ａ、２５ｂ、２５ｃを有する矩形板体２ａの一対の横辺に、壁面取付け部材１の一対の直立部１ｂ、１ｃと係合する如く切り起こされた一対の円形端縁突出部２ｂ、２ｃを有している。
【００１８】
基板部１aに形成された壁面取付け部材１の基板部１aを取付けるための複数のネジ穴１１と、直立部１ｂ、１ｃの半円形縁の中心部に形成されたネジ穴１３とペーパーホルダー固定部材２の円形端縁突出部２ｂ、２ｃに有するネジ穴２１とに通して両者をボルト・ナット２３、２４で固定している。
【００１９】
壁面取付け部材１とペーパーホルダー固定部材２とは、壁面取付け部材１の基板部１aに形成された複数のネジ穴１１にネジ（本実施例ではタップネジ）を通して壁面３に固定される。
【００２０】
壁面取付け部材１とペーパーホルダー固定部材２とは、壁面取付け部材１の直立部１ｂ、１ｃの半円形縁の中心部に形成されたネジ穴１３とペーパーホルダー固定部材２の円形端縁突出部２ｂ、２ｃに有するネジ穴２１とに通して両者をボルト・ナット２３、２４で固定されている。
【００２１】
壁面取付け部材１と前記ペーパーホルダー固定部材２は金属板であり、好ましくは鏡面仕上げしたステンレス板である。壁面取付け部材１は短冊状の板体をコ字形に曲げ加工して形成される。壁面に固定するためのネジ穴１１は５ｍｍφで、図３に示したように４箇所もうけてある。
【００２２】
ペーパーホルダー固定部材２に形成したネジ穴２５ａ、２５ｂ、２５ｃは、上側の２個（２５ａ、２５ｂ）は横長孔、下側の一個（２５ｃ）は縦長孔で、ペーパーホルダーに有する既存のネジ穴を横および縦方向での位置を許容するようになっている。
【００２３】
ペーパーホルダー固定部材２は鏡面仕上げの矩形板体２ａの上下一対の横辺に円形端縁突出部２ｂ、２ｃを形成したものを切りお越して横視がコ字状としている。壁面取付け部材１の直立部１ｂ、１ｃの半円形縁の中心部に形成されたネジ穴１３とペーパーホルダー固定部材２の円形端縁突出部２ｂ、２ｃに有するネジ穴２１とは共に６ｍｍφの穴で、これらの穴にボルト・ナット２３、２４を通して両者を固定している。
【００２４】
なお、ネジ（ボルト）２３は十字穴付超極低頭小ネジとＵナット、ネジ（ボルト）２４はトラス小ネジと袋ナットを用いるのが望ましい。Ｕナットは緩み防止機能を有している。ペーパーホルダー５を固定したペーパーホルダー固定部材２を壁面取付け部材１に組み付ける際、当該ペーパーホルダーの角度を好ましい角度に調整し、Ｕナットを締め付ける。その後、袋ナットを締めて取り付けを完了する。
【００２５】
図５は本考案に係るロールペーパーホルダー取付け補助具の他の実施例を説明する相互位置係止構造を説明する要部上面図である。この実施例では、壁面取付け部材１の一対の直立部１ｂ、１ｃの一方とペーパーホルダー固定部材２の一対の円形端縁突出部２ｂ、２ｃの対面部分の一方に凹陥又は開口１５と突起１６との組み合わせによる相互位置係止構造とした。本実施例では、ペーパーホルダーをある程度の力で回動させることで、所望の角度に変更し、その状態を保持させることができる。
【００２６】
この相互位置係止構造は、上記の構造に限るものではなく、他の簡便な係止構造を採できる。
【産業上の利用可能性】
【００２７】
本考案に係るロールペーパーホルダー取付け補助具は、トイレットのロールペーパーディスペンサーに限るものではなく、キッチンでのロールペーパーディスペンサーなどにも同様に適用できる。
【符号の説明】
【００２８】
１・・・壁面取付け部材
１ａ・・・基板部
１ｂ、１ｃ・・・直立部
２・・・ペーパーホルダー固定部材
２ａ・・・矩形板体
２ｂ、２ｃ・・・円形端縁突出部
３・・・壁面
５・・・ペーパーホルダー
１５・・・開口（凹陥）
１６・・・突起
【図１】
0003206221.tif 000003
【図２】
0003206221.tif 000004
【図３】
0003206221.tif 000005
【図４】
0003206221.tif 000006
【図５】
0003206221.tif 000007